(57)【要約】      （修正有）【課題】大きさの異なる複数の自動販売機に対応可能で、自動販売機の軽量化にも貢献でき、また、複数種類の商品見本に対応できる商品見本装着台を提供する。【解決手段】商品見本装着台１１は、合成樹脂製で下面及び長手方向両側面が開放された断面コ字状であり、上面には複数の装着部２２を形成し、長手方向両側には連接するための雌雄形状の一対の連接部３１，３２を各端において雌雄が反対に位置するよう形成して連接可能となし、装着部２１は、半割状商品見本の底部を嵌合支持する嵌合孔２２と、半割状商品見本の底面を上下方向から挟んで支持する押え板２３ａ，２３ｂと、枠体７２に表示シートを装着してなる商品見本７１の枠体下部を支持する押圧部材２４ａ，２４ｂと係合部材２５ａ，２５ｂとからなり、上面の幅方向半分に嵌合孔２２を、残り半分に押え板２３ａ，２３ｂ、押圧部材２４ａ，２４ｂ、係合部材２５ａ，２５ｂを設ける。【選択図】図６
0003195074.tif 000002
【実用新案登録請求の範囲】
【請求項１】
透光性を有する合成樹脂製で下面及び長手方向両側面が開放された断面コ字状であり、上面には複数の装着部を形成し、長手方向両側には連接するための雌雄形状の一対の連接部を各端で雌雄が反対に位置するよう形成し、前記装着部は、半割状商品見本の底部を嵌合支持する第一支持部と、半割状商品見本の底面を上下方向から挟んで支持する第二支持部と、枠体に表示シートを装着してなる商品見本の前記枠体の下部を支持する第三支持部とからなり、前記上面の幅方向の半分に前記第一支持部を設け、残り半分に前記第二支持部と前記第三支持部を設けてなる自動販売機の商品見本装着台。
【請求項２】
前記第一支持部は、半割状商品見本の底部を嵌合する半円状の嵌合孔であり、前記第二支持部は、半割状商品見本の底面を、商品見本装着台の上面とともに挟持する前記上面と平行に伸びる押え板であり、前記第三支持部は、前記枠体の下端前部を前記商品見本装着台の上面に押圧支持する押圧部材と、前記枠体の下部背面部を係合支持する係合部材とからなり、前記第二支持部の押え板と、前記第三支持部の押圧部材及び係合部材は、商品見本装着台の長手方向に間隔をおいてそれぞれ一対設けてなる請求項１記載の自動販売機の商品見本装着台。
【請求項３】
前記第三支持部は前記第二支持部の上面に設けてなり、前記第一支持部は、半割状商品見本の底部を嵌合する半円状の嵌合孔であり、前記第二支持部は、半割状商品見本の底面を、商品見本装着台の上面とともに挟持する前記上面と平行に伸びる押え板であり、前記第三支持部は、前記枠体の下端前部を前記押さえ板の上面に押圧支持する押圧部材と、前記枠体の下部背面部を係合支持する係合部材とからなる請求項１記載の自動販売機の商品見本装着台。
【考案の詳細な説明】
【技術分野】
【０００１】
本考案は、ペットボトル入り飲料や缶入り飲料の自動販売機において、商品見本を装着して展示する商品見本装着台に関する。
【背景技術】
【０００２】
従来の自動販売機における商品見本装着台は、一枚の長尺状板金を、下面が開放された断面コ字状に形成して、上面に設けた開口部に商品見本を嵌着して取り付けるよう構成したり、あるいは、同じく一枚の長尺状板金を、傾斜面と垂直面を形成するよう折り曲げて、傾斜面に設けた開口部に商品見本を嵌着して取り付けるよう構成し、長手方向両端には自動販売機に固定するための一対のブラケットが取り付けられるのが一般的である（特許文献１）。
【先行技術文献】
【特許文献】
【０００３】
【特許文献１】特開２００８―２４２５０５号公報
【考案の概要】
【考案が解決しようとする課題】
【０００４】
しかし、従来の商品見本装着台は、長尺状板金からなるので、折り曲げ加工や透孔を形成する等の簡単な加工しかできないため、大きさの異なる自動販売機には使用できないとともに、多様な構成の合成樹脂製商品見本を直接装着することはできず、装着用のアタッチメントが必要になるという不都合がある。また、商品見本装着台は上下に複数段設けられるが、長尺状板金からなるので、重量があって取り扱いにくいとともに、自動販売機の重量の増大の一因になるという不都合もある。本考案は、これらの不都合を解消した自動販売機の商品見本装着台を提供することを目的とする。
【課題を解決するための手段】
【０００５】
この目的を達成するため本考案の請求項１に係る自動販売機の商品見本装着台は、透光性を有する合成樹脂製で下面及び長手方向両側面が開放された断面コ字状であり、上面には複数の装着部を形成し、長手方向両側には連接するための雌雄形状の一対の連接部を各端で雌雄が反対に位置するよう形成し、前記装着部は、半割状商品見本の底部を嵌合支持する第一支持部と、半割状商品見本の底面を上下方向から挟んで支持する第二支持部と、枠体に表示シートを装着してなる商品見本の前記枠体の下部を支持する第三支持部とからなり、前記上面の幅方向の半分に前記第一支持部を設け、残り半分に前記第二支持部と前記第三支持部を設けてなる。
【０００６】
また、本考案の請求項２に係る自動販売機の商品見本装着台は、前記請求項１の構成において、前記第一支持部は、半割状商品見本の底部を嵌合する半円状の嵌合孔であり、前記第二支持部は、半割状商品見本の底面を、商品見本装着台の上面とともに挟持する前記上面と平行に伸びる押え板であり、前記第三支持部は、前記枠体の下端前部を前記商品見本装着台の上面に押圧支持する押圧部材と、前記枠体の下部背面部を係合支持する係合部材とからなり、前記第二支持部の押え板と、前記第三支持部の押圧部材及び係合部材は、商品見本装着台の長手方向に間隔をおいてそれぞれ一対設けてなる。
【０００７】
さらに、本考案の請求項３に係る自動販売機の商品見本装着台は、前記請求項１の構成において、前記第三支持部は前記第二支持部の上面に設けてなり、前記第一支持部は、半割状商品見本の底部を嵌合する半円状の嵌合孔であり、前記第二支持部は、半割状商品見本の底面を、商品見本装着台の上面とともに挟持する前記上面と平行に伸びる押え板であり、前記第三支持部は、前記枠体の下端前部を前記押さえ板の上面に押圧支持する押圧部材と、前記枠体の下部背面部を係合支持する係合部材とからなる。
【考案の効果】
【０００８】
本考案の請求項１に係る自動販売機の商品見本装着台によれば、長手方向に連接することで大きさの異なる複数の自動販売機に対応可能となり、合成樹脂製なので自動販売機の軽量化にも貢献でき、また、複数種類の商品見本に対応できるほか、第一支持部と第二及び第三支持部とは商品見本装着台の幅方向前後に分かれて設けられているので、商品見本を支持する支持部に応じて商品見本装着台の前後を反対にするよう自動販売機に設置することで商品見本を顧客に見やすいよう展示することができるという効果を奏する。
【０００９】
また、本考案の請求項２に係る自動販売機の商品見本装着台によれば、前記請求項１の効果に加えて、第二支持部の押え板と、第三支持部の押圧部材及び係合部材を、商品見本装着台の長手方向に間隔をおいてそれぞれ一対設けてなるので、商品見本を確実に支持できるとともに支持状態からの脱却も容易であるという効果を奏する。
【００１０】
さらに、本考案の請求項３に係る自動販売機の商品見本装着台によれば、前記請求項１の効果に加えて、第三支持部を前記第二支持部の上面に設けることにより、狭いスペースを効率的に利用できるという効果を奏する。
【図面の簡単な説明】
【００１１】
【図１】本考案を適用した自動販売機を示す平面図。
【図２】本考案の一実施形態を示す平面図。
【図３】同じく正面図。
【図４】同じく取り付け用ブラケットの斜視図。
【図５】同じく図３のＡ−Ａ線断面図。
【図６】同じく第三支持部における枠体の支持状態を示す斜視図。
【図７】同じく図６のＢ−Ｂ線断面図。
【図８】同じく第一支持部に支持する半割状商品見本の一例を示す斜視図。
【図９】同じく第二支持部に支持する半割状商品見本の一例を示す斜視図。
【図１０】同じく第三支持部に支持する枠体を有する商品見本の一例を示す正面図。
【考案を実施するための形態】
【００１２】
まず、本考案の好適な一実施形態を適用した自動販売機の一例を添付図面の図１に基づいて詳細に説明する。図１に示すように、自動販売機１の正面側には、販売している商品名などを表示した表示部２と、複数の商品見本３をそれぞれ装着した本考案にかかる上下２段の商品見本装着台１１と、前記各商品見本３にそれぞれ対応して設けた複数の商品選択ボタン４と、コイン投入口５と、宣伝広告用プレート６と、開閉可能なカバー（図示せず）を備えた商品取り出し口７と、を設けている。そして、前記表示部２、商品見本３を装着した商品見本装着台１１及び宣伝用広告プレート６は、透明な合成樹脂製のカバー８で保護している。一方、商品選択ボタン４は、前記カバー８表面から外部に突出し、コイン投入口５は、カバー８には対応位置しないで、露出状態にある。
【００１３】
次に、商品見本３の具体的構成を説明する。図８に示すのは、合成樹脂を成型してなるボトルタイプの半割状商品見本５１で、底部には半円状の嵌合孔に嵌合係止するための嵌合部５２を設けている。図９に示すのは、合成樹脂を成型してなる小型ボトルタイプの半割状商品見本６１で、下部両側縁が傾斜して形成され、底面６２はほぼ水平に形成されている。この商品見本６１は、本来傾斜面を有する商品見本装着台に使用するもので、商品見本装着台の傾斜面に適合するよう、下部両側縁が傾斜して形成されているものである。
【００１４】
また、図１０に示すのは、缶タイプの商品見本７１で、合成樹脂を成型してなる枠体７２に、同じく合成樹脂シートからなる表面に商品名等を表示し、長方形状で長手方向両端の下部が三角形状に切り欠かれた表示シート７３を装着してなる。この商品見本７１は、本来傾斜面を有する商品見本装着台における前記傾斜面に設けた開口に取り付けるもので、図６及び図７で理解できるように、枠体７２の上面には蓋部７４を形成し、前面側を大きく開口して、この開口部分の上下端前壁面と、両側壁で規制するように前記表示シート７３を係合支持する一方、背面側は蓋部７４から下端に向けて大きく前面側に傾斜し、この背面側傾斜部分に、商品見本装着台の傾斜面開口部分に嵌合するための取り付け部７５を形成している。図では明確ではないが、前記取り付け部７５の下端両側には、直方体状の嵌合空間を有する嵌合部７６が形成されている。
【００１５】
ここで、本考案に係る商品見本装着台の好適な一実施形態について説明する。図２、図３及び図６に示すように、商品見本装着台１１は、透光性を有する合成樹脂製で、下面及び長手方向両側面が開放され、上面１２と前面１３及び後面１４を有する断面コ字状である。合成樹脂材料として、光拡散物質を混入させたものを使用すると、商品見本装着台１１内に配置された照明器具、例えばＬＥＤからの光が拡散するので望ましいものである。前記上面１２には同一構成の２つの装着部２１，２１を形成し、長手方向両側には同一構成の他の商品見本装着台（図示せず）と連接するための雌雄形状の一対の連接部３１，３２を形成している。
【００１６】
各連接部３１，３２は、商品見本装着台１１の上面１２の裏面から長手方向に水平に突出した突出板に係合孔を形成してなる雌部３１ａ，３２ａと、同じく前記上面１２の裏面の肉薄部分に厚み方向に下に向けて突出形成した係合突起を形成してなる雄部３１ｂ，３２ｂとからなる。そして、前記雌部３１ａ，３２ａと前記雄部３１ｂ，３２ｂは、各端で雌雄が反対に位置し、前記雄部３１ｂ，３２ｂの係合突起が前記雌部３１ａ，３２ａの係合孔に嵌入係合することによって、他の商品見本装着台１１と連接することができる。この連接によって、設置する自動販売機１に合った長さの商品見本装着台１１を得ることができる。
【００１７】
図４に示すのは連接した複数の商品見本装着台１１を自動販売機１に固定するためのブラケット１５である。このブラケット１５は前記商品見本装着台１１と同様に、透光性を有する合成樹脂製で、上面１６、前面１７、後面１８及び側面１９を有し、下面及び一側面は開放されている。前記ブラケット１５は、前記上面１６の裏面から水平に突出した突出板に係合孔を形成してなる雌部３３ａと、同じく前記上面１６の裏面の肉薄部分に厚み方向に突出形成した係合突起を形成してなる雄部３３ｂからなる連接部３３を有する。この連接部３３の構成は、上述した各連接部３１，３２と同一構成である。したがって、前記雌部３３ａの係合孔に前記商品見本装着台１１の雄部３１ｂまたは３２ｂの係合突起を嵌入係合する一方、前記雄部３３ｂの係合突起を前記商品見本装着台１１の雌部３１ａまたは３２ａの係合孔に嵌入係合することによって、前記商品見本装着台１１の一端と連接することができる。そして、側面１９に設けた切り欠き２０に、自動販売機側のボルトやネジ部材等を挿通してナット等で締め付けることにより、固定するものである。
【００１８】
装着部２１は、半割状商品見本５１の底部５２を嵌合支持する第一支持部と、半割状商品見本６１の底面を上下方向から挟んで支持する第二支持部と、枠体７２に表示シート７３を装着してなる商品見本７１の前記枠体７２の下部を支持する第三支持部とからなる。前記第一支持部は上面１２の幅方向の後面１４側半分に設けられ、残りの前面１３側半分に前記第二支持部と前記第三支持部が設けられるとともに、前記第三支持部は前記第二支持部の上面に設けられている。第一支持部は半円状の嵌合孔２２からなり、第二支持部は半割状商品見本６１の底面６２を商品見本装着台１１の上面１２とともに挟持する前記上面１２と平行に伸びる一対の押え板２３ａ，２３ｂからなる。前記上面１２における前記嵌合孔２２の円弧部分周縁は、肉薄状に形成されている。
【００１９】
また、第三支持部は枠体７２の下端前部を一方の押え板２３ａに押圧支持する押圧部材２４ａと、前記枠体７２の下部背面部の一側下端を係合支持する係合部材２５ａと、前記枠体７２の下端前部を前記他方の押え板２３ｂに押圧支持する押圧部材２４ｂと、前記枠体７２の下部背面部の他側下端を係合支持する係合部材２５ｂとからなる。そして、押圧部材２４ａ，２４ｂ及び係合部材２５ａ，２５ｂは、商品見本装着台１１の長手方向に間隔をおいてそれぞれ一対設けられている。前記各押圧部材２４ａ，２５ａは、基端が押え板２３ａ，２３ｂに固着され、先端は前記押え板２３ａ，２３ｂと若干の間隔をおいてなる、全体がほぼ逆Ｕ字状で、先端前面に押さえ突部が形成されてなる。そして、前記各押圧部材２４ａ，２５ａの先端側は、基端側に対して接離方向に弾発的に変位可能である。一方、前記各係合部材２５ａ，２５ｂは、側面ほぼ台形状で肉厚の基部から後面側に傾斜して延びる薄板状の突入板を備えている。
【００２０】
続いて、上述のように構成した本実施形態における商品見本５１，６１，７１の装着方法について、図５〜図７に基づいて説明する。図５に示すように、商品見本５１は、底部の嵌合部５２を上面１２の嵌合孔２２に嵌合して支持される。この際、嵌合孔２２の円弧部分に沿って形成した肉薄部分によって、前記商品見本５１は確実に支持される。また、この商品見本５１を展示する場合は、商品見本展示台１１の後面１４側が自動販売機１の前面側に向くように配置する必要がある。同じく図５に示すように、商品見本６１は、その底面が一対の押え板２３ａ，２３ｂと上面１２によって確実に挟持される。図５で理解できるように、これら商品見本５１，６１はいずれか一方のみを展示できるものである。
【００２１】
次に、商品見本７１を展示するには、枠体７２の背面に設けた取り付け部７５の下端両側の嵌合部７６を、係合部材２５ａ，２５ｂの各突入板にそれぞれ挿入して、嵌合支持するとともに、前記枠体７２の下端前面の水平部分を押圧部材２４ａ，２４ｂの先端で弾発的に押圧支持する。
【００２２】
なお、本考案は上述した各実施形態に限定されるものではなく、例えば、第三支持部である一対の押圧部材２４ａ，２４ｂと係合部材２５ａ，２５ｂは、第二支持部材である一対の押え板２３ａ，２３ｂの上に設けるのではなく、商品見本装着台１１の上面１２に設けてもよい。また、装着部２１は二つに限らない。
【符号の説明】
【００２３】
１      自動販売機
３，５１，６１，７１      商品見本
１１      商品見本装着台
１２      上面
１５      ブラケット
２１      装着部
２２      嵌合孔
２３ａ，２３ｂ      押え板
２４ａ，２４ｂ      押圧部材
２５ａ，２５ｂ      係合部材
３１，３２，３３      連接部
３１ａ，３２ａ，３３ａ      雌部
３１ｂ，３２ｂ，３３ｂ      雄部
７２      枠体
７３      表示シート
７５      取り付け部
７６      嵌合部
【図１】
0003195074.tif 000003
【図２】
0003195074.tif 000004
【図３】
0003195074.tif 000005
【図４】
0003195074.tif 000006
【図５】
0003195074.tif 000007
【図６】
0003195074.tif 000008
【図７】
0003195074.tif 000009
【図８】
0003195074.tif 000010
【図９】
0003195074.tif 000011
【図１０】
0003195074.tif 000012